(57)【特許請求の範囲】
【請求項１】
軸筒の把持部外周に二重成型若しくはインサート成型により弾性体を形成する筆記具の軸筒において、軸筒の把持部はやや細径に窪んで形成され、この把持部に開口窓を形成するとともに、開口窓と近接する軸筒の外周に凹溝を形成し、軸筒の把持部に形成される弾性体が前記凹溝内にも入り込んで形成されたことを特徴とする筆記具の軸筒。
【発明の詳細な説明】
【０００１】
【発明の属する技術分野】
本発明は、軸筒の把持部外周に弾性体を形成した筆記具の軸筒に関する。
【０００２】
【従来の技術】
近年、筆記時における指の滑りを防ぐために把持部に弾性体を形成した筆記具が一般的になってきた。しかも、生産性および任意の形状に構成できるとの利点から、軸筒の把持部外周に二重成型若しくはインサート成型により弾性体を構成することが一般的に行われている。
【０００３】
【発明が解決しようとする課題】
しかし、開口窓が形成された軸筒の把持部外周に、単に弾性体を二重成型若しくはインサート成型により形成した場合には、開口窓に近接した部分の弾性体が剥がれ易いという問題が生じた。
本発明は、上記課題を解消する筆記具の軸筒を提供することを目的とするものである。
【０００４】
【課題を解決するための手段】
上記目的を達成するために本発明の筆記具の軸筒は、開口窓と近接する軸筒の外周に凹溝を形成し、軸筒の把持部外周に二重成型若しくはインサート成型により形成される弾性体が前記凹溝内にも入り込んで構成する。したがって、開口窓周辺の弾性体に応力が加えられても弾性体は凹溝により強固に固定されているので剥がれる心配はない。
【０００５】
【実施例】
本発明の筆記具の軸筒を図面に基づいて説明する。図１および図２において、軸筒１の把持部１Ａはやや細径に窪んで形成され、該把持部１Ａに開口窓１Ｂが形成される。更に、軸筒１の開口窓１Ｂの両側の縁に近接した把持部１Ａの外周に凹溝１Ｃが形成される。該軸筒１の把持部１Ａ外周にエラストマーといったゴム製の弾性体２が外嵌される。軸筒１に弾性体２を外嵌する手段は、まず軸筒１をＡＢＳ等の合成樹脂を射出成型して形成し、その後軸筒１の把持部１Ａに弾性体２を射出成型する所謂二重成型で行う。あるいは軸筒１の把持部１Ａに弾性体２をインサート成型により形成する。この時、弾性体２は軸筒１の凹溝１Ｃにも入り込んで形成される。
したがって、開口窓１Ｂに近接した部分の弾性体２は強固に固定され、この部分の弾性体２に応力が加えられても弾性体２が剥がれる心配はない。
【０００６】
図３は本発明の筆記具の軸筒の他の実施例を示すもので、軸筒１０１の把持部１０１Ａ外周に、開口窓１０１Ｂに近接して凹溝１０１Ｃを形成するとともに、開口窓１０１Ｂと反対側にも凹溝１０１Ｄを形成する。したがって、軸筒１０１の把持部１０１Ａに形成される弾性体１０２は、開口窓１０１Ｂに近接する凹溝１０１Ｃのみではなく開口窓１０１Ｂと反対側に位置する凹溝１０１Ｄにも入り込み、弾性体１０２が剥がれたり一方に寄せられてしわができるといった恐れはない。
【０００７】
図４は更に本発明の筆記具の軸筒の他の実施例を示すもので、軸筒２０１の把持部２０１Ａ外周に、開口窓２０１Ｂに近接して凹溝２０１Ｃを形成するとともに、該凹溝２０１Ｃの縁および円周方向等間隔に長手方向に伸びた突起部２０１Ｅを形成する。この軸筒２０１の把持部２０１Ａには弾性体２０２が形成され、該弾性体２０２は開口窓２０１Ｂに近接する凹溝２０１Ｃに入り込むのみではなく軸筒２０１の突起部２０１Ｅを包み込む。したがって、前記弾性体２０２は剥がれたりずれたりすることなく強固に軸筒２０１の把持部２０１Ａに固定される。
【０００８】
以上説明した本発明の筆記具の軸筒は、軸筒に開口窓を必要とする筆記具であればどのような筆記具にも利用可能である。
【０００９】
次に本発明の筆記具の軸筒をサイドノック式シャープペンシルに利用した実施例を図５、図６、図７および図８において説明する。図１および図２で説明した軸筒１の前部には、芯３を軽く保持する芯ホルダー４を内蔵した口金５が螺合される。更に軸筒１の前端１Ｆと口金５の内段５Ａにより連結具６が挾持される。連結具６と口金５の係止段５Ｂとの間には締リング７が遊嵌され、該締リング７はチャック８の頭部８Ａに外嵌される。チャック８の後部にはチャックホルダー９が固着され、連結具６とチャックホルダー９の外段９Ａとの間に張架されたスプリング１０によりチャック８が長手方向後方に付勢される。スプリング１０により後方に付勢されたチャック８は締リング７に押圧されて閉じられ、芯３を強く保持する。図６に示したように、軸筒１の開口窓１Ｂを断面コ字状のサイドボタン１１の足部１１Ａが撓みながら挿入し、軸筒１の開口窓１Ｂにサイドボタン１１が取り付けられる。サイドボタン１１はポリアセタール等の合成樹脂で形成される。前記チャックホルダー９にはパイプ材からなる芯タンク１２が固着され、該芯タンク１２はサイドボタン１１の足部１１Ａを通り抜けて軸筒１の後端より突出する。芯タンク１２の外側にはカム部材１３が外嵌されており、カム部材１３の傾斜された後端面１３Ａにサイドボタン１１の足部１１Ａが接触している。したがって、サイドボタン１１を押圧することにより、サイドボタン１１の足部１１Ａがカム部材１３の傾斜した後端面１３Ａを押圧し、カム部材１３を前進させる。カム部材１３が前進すると、カム部材１３がチャックホルダー９の外鍔９Ｂに当接し、チャックホルダー９、芯タンク１２とともにチャック８が前進して芯３が繰り出される。カム部材１３はナイロン６６等のポリアミド樹脂で形成する。軸筒１の後端には、前部１４Ａがスリ割りされた栓１４が着脱可能に取付けられ、栓１４の後部１４Ｂは板状に突出して指で保持し易い形状になっている。この栓１４がないと、芯タンク１２内に収納された芯２が後述する消しゴム保持具１５に当接し、消しゴム１６を使用する為に消しゴム保持具１５を長手方向に摺動した時に押圧されて芯２が折損する恐れがある。軸筒１の後部には細径部１Ｇが形成され、細径部１Ｇには円周に伸びた凹条１Ｈが形成される。更に軸筒１の細径部１Ｇには前記開口窓１Ｂの延長線上に後部外段１Ｉより後方に突出した突部１Ｊが形成される。該突部１Ｊは４５度に傾斜した２本の突部１Ｊによって形成される。軸筒１の凹条１Ｈには後軸１７の内方突起１７Ａが嵌め込まれ、軸筒１の細径部１Ｇに後軸１７が着脱可能に連結される。しかも図９に示したように、後軸１７の前端に、軸筒１の突部１Ｊと同形の切欠部１７Ｂを形成し、軸筒１の突部１Ｊと後軸１７の切欠部１７Ｂを合わせて連結することにより、軸筒１と後軸１７の円周方向の位置決めを行う。後軸１７には長手方向に伸びた摺動溝１７Ｃを形成し、更に摺動溝１７Ｃと交差する係止溝１７Ｄを長手方向等間隔に複数形成する。図１０に示したように、消しゴム保持具１５には長手方向に伸びた２本の切溝１５Ａにより弾性片１５Ｂが形成され、該弾性片１５Ｂに後方が傾斜して突出した係止部１５Ｃと、後方が広がった案内溝１５Ｄと連通する固定穴１５Ｅが形成される。該消しゴム保持具１５は、後軸１７内に長手方向に摺動可能に内蔵される。この消しゴム保持具１５には、後軸１７の摺動溝１７Ｃから挿入された操作ボタン１８の足部１８Ａが、案内溝１５Ｄより導かれて固定穴１５Ｅに嵌め込まれる。消しゴム保持具１５の後部穴１５Ｆには長く伸びた棒状の消しゴム１６が装着されている。該消しゴム１６は、操作ボタン１８を後方に移動することによって消しゴム保持具１５とともに後退して後軸１７の後端より突出し、消しゴム保持具１５の係止部１５Ｃが後軸１７の係止溝１７Ｄに係止されることによって固定される。消しゴム１６を後軸１７内に没入させるには、操作ボタン１８を内側に押圧させて、後軸１７の係止溝１７Ｄから消しゴム保持具１５の係止部１５Ｃを外した状態で、操作ボタン１８を前方に移動させ、消しゴム保持具１５と消しゴム１６を前進させて行う。
【００１０】
次に芯タンク１２内に芯２を収納する場合を説明すると、先ず後軸１７を回すと、後軸１７の切欠部１７Ｂが軸筒１の傾斜された突部１Ｊに沿って後退し、軸筒１の凹条１Ｈから後軸１７の内方突起１７Ａが外れる。したがって、単に後軸１７を後方に引き抜くのに比べて簡単に後軸１７を外すことができる。後軸１７を外した後、板状に突出した栓１４の後部１４Ｂを保持して軸筒１より栓１４を外す。すると、軸筒１の後端より突出した芯タンク１２の後部が現れる。この芯タンク１２の後端より芯３を挿入する。
【００１１】
この実施例の場合には、軸筒１の把持部１Ａに弾性体２が形成されているので、筆記時に指が滑らず快適な筆記を行うことができる。しかもサイドボタン１１を押圧する為に把持部１Ａを持ち変えた時に弾性体２に円周方向の応力が加えられても、弾性体２が二重成型若しくはインサート成型により形成されているので剥がれたりずれたりする恐れは全くない。特に軸筒１の開口窓１Ｂの縁に近接した弾性体２は剥がれ易い部分であるが、軸筒１の凹溝１Ｃに弾性体２が強固に固定されているのでこの部分においても剥がれる恐れはない。
【００１２】
【発明の効果】
以上説明した本発明は、特に剥がれ易い開口窓に近接した部分の弾性体において、軸筒の凹溝に二重成型若しくはインサート成型によって弾性体が入り込んで強固に固定されるので、弾性体に円周方向の応力が加えられても剥がれたりずれたりする恐れがないという効果が奏せられるものである。
【図面の簡単な説明】
【図１】本発明の筆記具の軸筒を示す拡大断面図である。
【図２】図１のＡ−Ａ線を示す断面図である。
【図３】本発明の筆記具の軸筒における他の実施例を示す拡大断面図である。
【図４】本発明の筆記具の軸筒における更に他の実施例を示す拡大断面図である。
【図５】本発明の筆記具の軸筒をサイドノック式シャープペンシルに利用した実施例を示す断面図である。
【図６】図５のＡ−Ａ線を示す拡大断面図である。
【図７】図５のＢ−Ｂ線を示す拡大断面図である。
【図８】図５の平面図である。
【図９】図５の実施例において、軸筒に後軸を連結する前の状態を示す主要部平面図である。
【図１０】図５の実施例における消しゴム保持具を示す平面図である。
【符号の説明】
１  軸筒
１Ａ  軸筒１の把持部
１Ｂ  軸筒１の開口窓
１Ｃ  軸筒１の凹溝
２  弾性体
１０１  軸筒
１０１Ａ  軸筒１０１の把持部
１０１Ｂ  軸筒１０１の開口窓
１０１Ｃ  軸筒１０１の凹溝
１０２  弾性体
２０１  軸筒
２０１Ａ  軸筒２０１の把持部
２０１Ｂ  軸筒２０１の開口窓
２０１Ｃ  軸筒２０１の凹溝
２０２  弾性体
【図１】
0003704189.tif 000002
【図２】
0003704189.tif 000003
【図３】
0003704189.tif 000004
【図４】
0003704189.tif 000005
【図５】
0003704189.tif 000006
【図６】
0003704189.tif 000007
【図７】
0003704189.tif 000008
【図８】
0003704189.tif 000009
【図９】
0003704189.tif 000010
【図１０】
0003704189.tif 000011